【手続補正書】
【提出日】平成17年9月9日(2005.9.9)
【手続補正１】
【補正対象書類名】特許請求の範囲
【補正対象項目名】全文
【補正方法】変更
【補正の内容】
【特許請求の範囲】
【請求項１】
複数の配分先端末装置と配分処理装置と配分実行装置とを備えた配分処理システムにおいて、
配分先端末装置は、対象物の売上数量または売上金額を記録する手段と、当該売上数量または売上金額を前記配分処理装置に送信する手段とを備え、
配分処理装置は、
各配分先端末装置から各配分先における対象物の売上数量または売上金額を受けて、当該売上数量または売上金額を記録するためのテーブルとアクセス可能であり、
当該テーブルにおける新たに配分を行う配分対象物の各配分先における売上数量または売上金額もしくは当該配分対象物の属するグループについての各配分先における売上数量または売上金額を、配分対象物に対応する取扱実績情報とし、当該グループに属するグループ構成物であって配分先に在庫された種類数のうち、所定量以上の売上実績のあるグループ構成物の種類数の比率を稼働率として、各配分先における配分対象物に対応する取扱実績情報および各配分先の稼働率に基づいて、配分予定先のランクを設定する手段であって、配分対象物の取扱実績と稼働率との積による順位が、上位の第一の所定値パーセント以上に位置する配分予定先に対して、第一のランクを設定し、配分対象物の取扱実績と稼働率との積による順位が、上位の第一の所定値パーセントから第二の所定値パーセントに位置する配分予定先に対して、第二のランクを設定し、・・・・・配分対象物の取扱実績と稼働率との積による順位が、上位の第Ｎ−１の所定値パーセントから第Ｎの所定値パーセントに位置する配分予定先に対して、第Ｎのランクを設定する手段と、
新たに配分を行う配分対象物の総量を取得する手段と、
各配分予定先について決定されたランクおよび配分対象物の総量に基づいて、各配分予定先の配分量を示す配分データを生成する手段と、
当該配分データを配分実行装置に送信する手段とを備え、
配分実行装置は、前記配分処理装置から前記配分データを受けて、当該配分データを出力する手段を備えたこと、
を特徴とする配分処理システム。
【請求項２】
配分対象物を各配分先にどのように配分するかを決定するための配分データを生成する配分処理装置であって、
各配分先における対象物の売上数量または売上金額を記録するためのテーブルとアクセス可能であり、
当該テーブルにおける新たに配分を行う配分対象物の各配分先における売上数量または売上金額もしくは当該配分対象物の属するグループについての各配分先における売上数量または売上金額を、配分対象物に対応する取扱実績情報とし、当該グループに属するグループ構成物であって配分先に在庫された種類数のうち、所定量以上の売上実績のあるグループ構成物の種類数の比率を稼働率として、各配分先における配分対象物に対応する取扱実績情報および各配分先の稼働率に基づいて、配分予定先のランクを設定する手段であって、配分対象物の取扱実績と稼働率との積による順位が、上位の第一の所定値パーセント以上に位置する配分予定先に対して、第一のランクを設定し、配分対象物の取扱実績と稼働率との積による順位が、上位の第一の所定値パーセントから第二の所定値パーセントに位置する配分予定先に対して、第二のランクを設定し、・・・・・配分対象物の取扱実績と稼働率との積による順位が、上位の第Ｎ−１の所定値パーセントから第Ｎの所定値パーセントに位置する配分予定先に対して、第Ｎのランクを設定する手段と、
新たに配分を行う配分対象物の総量を取得する手段と、
各配分予定先について決定されたランクおよび配分対象物の総量に基づいて、各配分予定先の配分量を示す配分データを生成する手段と、
を備えたことを特徴とする配分処理装置。
【請求項３】
請求項２の配分処理装置において、
前記各配分予定先の配分量を示す配分データは、いずれの配分予定先に配分対象物を配分するか、またはいずれの配分予定先に対してどれだけ配分対象物を配分するか、を示すデータであることを特徴とするもの。
【請求項４】
請求項２または請求項３の配分処理装置において、
前記配分データを生成する手段は、各配分予定先に均等に所定量配分し、その残存配分対象物についてランクに応じた配分を行って、配分データを生成することを特徴とするもの。
【請求項５】
請求項４の配分処理装置において、
前記均等な所定量は、「１」であることを特徴とするもの。
【請求項６】
請求項２ないし請求項５のいずれかの配分処理装置において、
前記配分対象物に対応する取扱実績情報から算出される売上予測値を考慮して、各配分予定先の配分量を示す前記配分データを生成することを特徴とするもの。
【請求項７】
請求項６の配分処理装置において、
前記売り上げ予測値は、週末指数を考慮して算出されたことを特徴とするもの。
【請求項８】
請求項２ないし請求項７のいずれかの配分処理装置において、
前記取扱実績情報は、少なくとも売上情報を含むことを特徴とするもの。
【請求項９】
各配分先における対象物の売上数量または売上金額を記録するためのテーブルにアクセス可能なコンピュータを、
当該テーブルにおける新たに配分を行う配分対象物の各配分先における売上数量または売上金額もしくは当該配分対象物の属するグループについての各配分先における売上数量または売上金額を、配分対象物に対応する取扱実績情報とし、当該グループに属するグループ構成物であって配分先に在庫された種類数のうち、所定量以上の売上実績のあるグループ構成物の種類数の比率を稼働率として、各配分先における配分対象物に対応する取扱実績情報および各配分先の稼働率に基づいて、配分予定先のランクを設定する手段であって、配分対象物の取扱実績と稼働率との積による順位が、上位の第一の所定値パーセント以上に位置する配分予定先に対して、第一のランクを設定し、配分対象物の取扱実績と稼働率との積による順位が、上位の第一の所定値パーセントから第二の所定値パーセントに位置する配分予定先に対して、第二のランクを設定し、・・・・・配分対象物の取扱実績と稼働率との積による順位が、上位の第Ｎ−１の所定値パーセントから第Ｎの所定値パーセントに位置する配分予定先に対して、第Ｎのランクを設定する手段と、
新たに配分を行う配分対象物の総量を取得する手段と、
各配分予定先について決定されたランクおよび配分対象物の総量に基づいて、各配分予定先の配分量を示す配分データを生成する手段、
として機能させるためのプログラム。
【請求項１０】
請求項９のプログラムにおいて、
前記各配分予定先の配分量を示す配分データは、いずれの配分予定先に配分対象物を配分するか、またはいずれの配分予定先に対してどれだけ配分対象物を配分するか、を示すデータであることを特徴とするもの。
【請求項１１】
請求項９または請求項１０のプログラムにおいて、
前記配分データを生成する手段は、各配分予定先に均等に所定量配分し、その残存配分対象物についてランクに応じた配分を行って、配分データを生成することを特徴とするもの。
【請求項１２】
請求項１１のプログラムにおいて、
前記均等な所定量は、「１」であることを特徴とするもの。
【請求項１３】
請求項９ないし請求項１２のいずれかのプログラムにおいて、
前記配分対象物に対応する取扱実績情報から算出される売上予測値を考慮して、各配分予定先の配分量を示す前記配分データを生成することを特徴とするもの。
【請求項１４】
請求項１３のプログラムにおいて、
前記売り上げ予測値は、週末指数を考慮して算出されたことを特徴とするもの。
【請求項１５】
請求項９ないし請求項１４のいずれかのプログラムにおいて、
前記取扱実績情報は、少なくとも売上情報を含むことを特徴とするもの。
【請求項１６】
請求項９ないし請求項１５のいずれかのプログラムを、記録したコンピュータ読み取り可能な記録媒体。
【請求項１７】
各配分先における対象物の売上数量または売上金額を記録するためのテーブルにアクセス可能なコンピュータを用いて、配分対象物を各配分先にどのように配分するかを決定するための配分データを生成する配分処理方法であって、
当該テーブルにおける新たに配分を行う配分対象物の各配分先における売上数量または売上金額もしくは当該配分対象物の属するグループについての各配分先における売上数量または売上金額を、配分対象物に対応する取扱実績情報とし、当該グループに属するグループ構成物であって配分先に在庫された種類数のうち、所定量以上の売上実績のあるグループ構成物の種類数の比率を稼働率として、各配分先における配分対象物に対応する取扱実績情報および各配分先の稼働率に基づいて、配分予定先のランクを設定する処理であって、配分対象物の取扱実績と稼働率との積による順位が、上位の第一の所定値パーセント以上に位置する配分予定先に対して、第一のランクを設定し、配分対象物の取扱実績と稼働率との積による順位が、上位の第一の所定値パーセントから第二の所定値パーセントに位置する配分予定先に対して、第二のランクを設定し、・・・・・配分対象物の取扱実績と稼働率との積による順位が、上位の第Ｎ−１の所定値パーセントから第Ｎの所定値パーセントに位置する配分予定先に対して、第Ｎのランクを設定する処理と、
新たに配分を行う配分対象物の総量を取得する処理と、
各配分予定先について決定されたランクに基づく配分の仕方を選択する選択入力を取得する処理と、
各配分予定先について決定されたランク、前記選択入力による配分の仕方および配分対象物の総量に基づいて、各配分予定先の配分量を示す配分データを生成する処理と、
をコンピュータに実行させることを特徴とする配分処理方法。
【手続補正２】
【補正対象書類名】図面
【補正対象項目名】図７
【補正方法】変更
【補正の内容】
【図７】
2004171592.tif 000001